(57)【要約】【課題】コンピュータマルチメディアAV再生のタッチ選択及び迅速執行の方法及びそのコンピュータシステムを提供する。【解決手段】主にコンピュータシステムのデータ保存メディア中に第一OS及び第二OSを保存する。該コンピュータシステムが基本起動手順を完了後、該コンピュータシステムはタッチ表示装置の駆動プログラムをインストール及び執行し、該タッチ表示装置は作用を開始し、該タッチ表示装置上には探知されたAV再生装置のメニュー図形を表示する。操作者が任意のAV再生装置のメニュー図形を選択すると、該データ保存メディアは該第一OSをインストール及び執行し、該タッチ表示装置上の選択されたAV再生装置メニューが対応するAV再生アプリケーションプログラムを執行する。【選択図】        図１
2007035014.tif 000002
【特許請求の範囲】
【請求項１】
主にコンピュータシステム中にデータ保存メディア、システムメモリ、BIOS、タッチ表示装置、及び少なくとも１個のAV再生装置を接続し、
該データ保存メディア中にはOS、タッチ表示装置駆動プログラム、AV再生装置の駆動プログラム、及び該AV再生装置を駆動するAV再生装置アプリケーションプログラムを保存し、
該方法は以下のステップを包含し、
(a)該コンピュータシステムを起動し、
(b)該コンピュータシステムのBIOSを執行し、
(c)該コンピュータシステムが接続するタッチ表示装置及びAV再生装置を探知し、
(d)該探知されたタッチ表示装置の駆動プログラムをインストール及び執行し、
(e)該タッチ表示装置は作動を開始し、該タッチ表示装置上に探知されたAV再生装置のメニュー図形を表示し、
(f)操作者が該タッチ表示装置上でAV再生装置のメニュー図形を選択したかどうかを探知し、
(g)操作者が任意のAV再生装置のメニュー図形を選択すると、該データ保存メディアにより該OSをインストール及び執行し、
(h)該OSの起動を完了後、該タッチ表示装置上の選択されたAV再生装置メニュー図形が対応するAV再生アプリケーションプログラムをインストール及び執行することを特徴とするコンピュータマルチメディアAV再生のタッチ選択及び迅速執行の方法。
【請求項２】
請求項１記載のコンピュータマルチメディアAV再生のタッチ選択及び迅速執行の方法において、ステップ(d)の前に、該コンピュータシステムのシステムメモリ中には予め設定されるランダムアクセスディスクエリアを区分し、該OS、該タッチ表示装置駆動プログラム、該AV再生装置の駆動プログラム、AV再生装置のアプリケーションプログラム執行に必要とする空間とすることを特徴とするコンピュータマルチメディアAV再生のタッチ選択及び迅速執行の方法。
【請求項３】
主にコンピュータシステム中にデータ保存メディア、システムメモリ、BIOS、タッチ表示装置、及び少なくとも１個のAV再生装置を接続し、
該データ保存メディア中には第一OS及び第二OSを保存し、該データ保存メディア中にはまたタッチ表示装置駆動プログラム、AV再生装置の駆動プログラム、及び該AV再生装置を駆動するAV再生装置アプリケーションプログラムを保存し、
該方法は以下のステップを包含し、
(a)該コンピュータシステムを起動し、
(b)該コンピュータシステムのBIOSを執行し、
(c)該コンピュータシステムが接続するタッチ表示装置及びAV再生装置を探知し、
(d)該探知されたタッチ表示装置の駆動プログラムをインストール及び執行し、該タッチ表示装置は作動を開始し、
(e)該タッチ表示装置上に探知されたAV再生装置のメニュー図形を表示し、
(f)操作者が該タッチ表示装置上でAV再生装置のメニュー図形を選択したかどうかを探知し、
(g)操作者が任意のAV再生装置のメニュー図形を選択すると、該データ保存メディアにより該第一OSをインストール及び執行し、
(h)該第一OSの起動を完了後、該タッチ表示装置上の選択されたAV再生装置メニュー図形が対応するAV再生アプリケーションプログラムをインストール及び執行することを特徴とするコンピュータマルチメディアAV再生のタッチ選択及び迅速執行の方法。
【請求項４】
請求項３記載のコンピュータマルチメディアAV再生のタッチ選択及び迅速執行の方法において、第一OS及び第二OSはそれぞれ該ハードディスクの異なる分割区中に設置することを特徴とするコンピュータマルチメディアAV再生のタッチ選択及び迅速執行の方法。
【請求項５】
請求項３記載のコンピュータマルチメディアAV再生のタッチ選択及び迅速執行の方法において、ステップ(d)の前に、該コンピュータシステムのシステムメモリ中には予め設定されるランダムアクセスディスクエリアを区分し、該OS、該タッチ表示装置駆動プログラム、該AV再生装置の駆動プログラム、AV再生装置のアプリケーションプログラム執行に必要とする空間とすることを特徴とするコンピュータマルチメディアAV再生のタッチ選択及び迅速執行の方法。
【請求項６】
主にコンピュータシステム、タッチ表示装置、データ保存メディアを包含し、
該コンピュータシステムはシステムメモリ、BIOSを包含し、
該タッチ表示装置はタッチ信号受信装置と表示パネルを包含し、それぞれタッチ信号入力インターフェースと表示インターフェースにより該コンピュータシステムに接続し、該タッチ信号受信装置は操作者のタッチ操作を受けると、タッチ入力信号を該コンピュータシステムに伝送し、該コンピュータシステムが発生する画像信号は該タッチ表示装置の表示パネルにより表示され、
該データ保存メディアは少なくとも第一OSと第二OSを包含し、該データ保存メディア中にはタッチ表示装置の駆動プログラム、AV再生装置の駆動プログラム、及び該AV再生装置を駆動するAV再生アプリケーションプログラムを保存し、
該タッチ表示装置の表示パネル上には該コンピュータシステムが起動を完成しBIOSの執行を完了後、探知した該コンピュータシステムに接続するAV再生装置のメニュー図形を表示し、操作者が任意のAV再生装置のインストール及び執行を選択すると、該データ保存メディアにより該第一OSをインストール及び執行し、該選択されたAV再生装置メニューが対応するAV再生アプリケーションプログラムを執行することを特徴とするコンピュータマルチメディアAV再生のタッチ選択及び迅速執行のコンピュータシステム。
【請求項７】
請求項６記載のコンピュータマルチメディアAV再生のタッチ選択及び迅速執行のコンピュータシステムにおいて、データ保存メディア中の第一OS及び第二OSはそれぞれ異なる分割区中に設置することを特徴とするコンピュータマルチメディアAV再生のタッチ選択及び迅速執行のコンピュータシステム。
【請求項８】
請求項６記載のコンピュータマルチメディアAV再生のタッチ選択及び迅速執行のコンピュータシステムにおいて、コンピュータシステムのシステムメモリ中に区分する予め設定されたランダムアクセスハードディスクエリアは該OS、該タッチ表示装置駆動プログラム、該AV再生装置の駆動プログラム、該AV再生装置のアプリケーションプログラムの執行に必要とする空間とすることを特徴とするコンピュータマルチメディアAV再生のタッチ選択及び迅速執行のそのコンピュータシステム。
【請求項９】
請求項６記載のコンピュータマルチメディアAV再生のタッチ選択及び迅速執行コンピュータシステムにおいて、コンピュータシステムのタッチ表示装置の表示パネル上には、該コンピュータシステムに接続するAV再生装置のメニュー図形を表示する他に、該第二OSの起動を執行するコンピュータシステムの起動メニューを表示することを特徴とするコンピュータマルチメディアAV再生のタッチ選択及び迅速執行のコンピュータシステム。
【発明の詳細な説明】
【技術分野】
【０００１】
本発明は一種のコンピュータマルチメディアAV再生の方法に関する。特に一種のコンピュータマルチメディアAV再生のタッチ選択及び迅速執行の方法及びそのコンピュータシステムに係る。
【背景技術】
【０００２】
コンピュータ技術の研究開発が進む中、コンピュータはAV装置と結合しマルチメディア再生システムを構成し、オフィス、家庭、商業施設など多くの分野で幅広く応用されるようになっている。
【０００３】
現在のマルチメディア再生システムの大部分の設計は、AV再生装置をコンピュータインターフェースを通してコンピュータシステムに単純に接続するものである。よって、操作者は該マルチメディア再生機能を執行しようとする時には、該コンピュータシステムを通して該マルチメディア再生装置のアプリケーションプログラムを執行しなければならない。さらに、操作者は先ずコンピュータを起動し、該コンピュータはBIOSを起動し、POSTを起動し、周辺設備は探知及び駆動し、作業システムは起動し、システムが設定されるなどのすべての手順が完了後、ようやく該マルチメディア再生機能を執行可能で、使用上極めて不便である。
【０００４】
上記の欠点を克服するため、現在既に、マルチメディアAV機能を迅速に起動し再生可能な設計が開発されている。その大部分の設計は、コンピュータのハードディスク中に異なるハードディスク分割区を分割し、該異なるハードディスク分割区中においてそれぞれ第一OS(Linux-based OSなど)及び第二OS(ウィンドウズ（登録商標）OSなど)をインストールし、該コンピュータのBIOSに対して部分的な修正を行うものである。これにより操作者は必要に応じてコンピュータモード(PCモード)或いはマルチメディア再生モード(AVモード)の執行を選択する。操作者がAVモードの執行を選択すると、コンピュータ起動後もコンピュータは一般のコンピュータシステムの起動手順を執行せず、直接該第一分割区中の第一OSをインストール及び執行し、必要なAV装置を駆動する。さらに、操作者が選択した再生機能(DVDなど)に基づきAVを再生する。また、操作者は一般のコンピュータのウィンドウズ（登録商標）OSに入らないこともでき、時間の無駄である起動の時間を省くことができ、コンピュータシステムのすべてのハードディスクを初期化する必要はない。
【発明の開示】
【発明が解決しようとする課題】
【０００５】
公知構造には以下の欠点があった。
すなわち、上記公知技術においては異なるOSの選択起動とマルチメディア再生の機能執行を達成することができるが、操作の親和性の面ではなお十分ではない。なぜなら使用者がPCモード或いはAVモードの執行を選択する時には、メーカー設計の操作規範及び操作方式を覚えておかなければ、執行しようとする作業モードを順調に起動することはできないからである。これでは親和性の高いマンマシーンインターフェースを実現することはできない。
【０００６】
いくつかのPCモード或いはAVモードを選択執行可能なコンピュータシステムにおいては、スクリーンを通して関連する操作情報を設計を表示可能な設計を具えるものもあるが、一般の設計はコンピュータシステムにおいて実際にOSに進入後でなければその機能メニューの表示はできない。すなわち、コンピュータマルチメディア再生の機能を迅速に執行することはできないのである。
【０００７】
さらに、現在マルチメディアAV再生機能を具えるコンピュータシステムの大部分の設計は該コンピュータのキーボード或いはマウスを通して機能メニューの選択を行うものである。この設計は該コンピュータシステムがOSに進入しなければ各項入力設備の入力機能を駆動することができない他、操作者が操作に必要な機能メニューを選択する時にも不便である。
【０００８】
それは主にコンピュータシステムにおいて基本起動手順を完了後に、該コンピュータシステムによりタッチ表示装置の駆動プログラムをインストール及び執行し、該タッチ表示装置は作用を開始し、該タッチ表示装置上において探知されたAV再生装置のメニュー図形を表示し、操作者は執行しようとするAV再生装置のメニュー図形を選択するだけで、コンピュータマルチメディアAV再生の機能を執行可能である。
【０００９】
さらにそれは人に優しい操作インターフェースを具えたコンピュータマルチメディアAV再生の方法で、タッチ表示装置により各項のAV再生装置のメニュー図形を提供し操作者は直接選択することができ、該タッチ表示装置は関連する情報を操作者に提供する。
【００１０】
またそれは、コンピュータOSを起動する必要がなく、タッチ選択の方式によりマルチメディアAV再生機能を執行する方法で、操作者は起動のための時間を省くことができ、またコンピュータシステムのすべてのハードウェア設備を初期化する必要がなくなる。
【００１１】
さらにそれは、コンピュータシステムが起動し、OSのスタート手順及びPOSTに進入後、先にタッチ表示装置及び図形表示機能を起動するだけで、操作者は必要に応じて、異なるマルチメディアAV再生機能或いは一般のコンピュータ作業機能をタッチ選択可能で、続いてコンピュータシステムはどのOSを執行するかを決定する。
【課題を解決するための手段】
【００１２】
すなわち本発明が公知技術の問題を解決するために採用する技術手段は、コンピュータシステムが基本起動手順を完成させた後、該コンピュータシステムはタッチ表示装置の駆動プログラムをインストール及び執行し、該探知表示装置の起動作用後、該タッチ表示装置上において探知されたAV再生装置のメニュー図形を表示し、該操作者が任意のAV再生装置のメニュー図形を選択すると、該データ保存メディアは指定されたOSをインストール及び執行し、該タッチ表示装置上で選択されたAV再生装置メニューが対応するAV再生アプリケーションプログラムを執行し、
【００１３】
本発明の最適実施例中ではデータ保存メディア中には第一OS及び第二OSを保存し、該データ保存メディア中にはタッチ表示装置駆動プログラム、AV再生装置の駆動プログラム、該AV再生装置を駆動するAV再生アプリケーションプログラムを保存し、コンピュータシステム及びBIOSの起動完了後、該タッチ表示装置の表示パネル上には探知された該コンピュータシステムに接続されるAV再生装置のメニュー図形を表示し、該第二OSのコンピュータシステム起動メニューを表示可能であることを特徴とするコンピュータマルチメディアAV再生のタッチ選択及び迅速執行の方法及びそのコンピュータシステムである。
【００１４】
請求項１の発明は、主にコンピュータシステム中にデータ保存メディア、システムメモリ、BIOS、タッチ表示装置、及び少なくとも１個のAV再生装置を接続し、
該データ保存メディア中にはOS、タッチ表示装置駆動プログラム、AV再生装置の駆動プログラム、及び該AV再生装置を駆動するAV再生装置アプリケーションプログラムを保存し、
該方法は以下のステップを包含し、
(a)該コンピュータシステムを起動し、
(b)該コンピュータシステムのBIOSを執行し、
(c)該コンピュータシステムが接続するタッチ表示装置及びAV再生装置を探知し、
(d)該探知されたタッチ表示装置の駆動プログラムをインストール及び執行し、
(e)該タッチ表示装置は作動を開始し、該タッチ表示装置上に探知されたAV再生装置のメニュー図形を表示し、
(f)操作者が該タッチ表示装置上でAV再生装置のメニュー図形を選択したかどうかを探知し、
(g)操作者が任意のAV再生装置のメニュー図形を選択すると、該データ保存メディアにより該OSをインストール及び執行し、
(h)該OSの起動を完了後、該タッチ表示装置上の選択されたAV再生装置メニュー図形が対応するAV再生アプリケーションプログラムをインストール及び執行することを特徴とするコンピュータマルチメディアAV再生のタッチ選択及び迅速執行の方法としている。
請求項２の発明は、請求項１記載のコンピュータマルチメディアAV再生のタッチ選択及び迅速執行の方法において、ステップ(d)の前に、該コンピュータシステムのシステムメモリ中には予め設定されるランダムアクセスディスクエリアを区分し、該OS、該タッチ表示装置駆動プログラム、該AV再生装置の駆動プログラム、AV再生装置のアプリケーションプログラム執行に必要とする空間とすることを特徴とするコンピュータマルチメディアAV再生のタッチ選択及び迅速執行の方法としている。
請求項３の発明は、該データ保存メディア中には第一OS及び第二OSを保存し、該データ保存メディア中にはまたタッチ表示装置駆動プログラム、AV再生装置の駆動プログラム、及び該AV再生装置を駆動するAV再生装置アプリケーションプログラムを保存し、
該方法は以下のステップを包含し、
(a)該コンピュータシステムを起動し、
(b)該コンピュータシステムのBIOSを執行し、
(c)該コンピュータシステムが接続するタッチ表示装置及びAV再生装置を探知し、
(d)該探知されたタッチ表示装置の駆動プログラムをインストール及び執行し、該タッチ表示装置は作動を開始し、
(e)該タッチ表示装置上に探知されたAV再生装置のメニュー図形を表示し、
(f)操作者が該タッチ表示装置上でAV再生装置のメニュー図形を選択したかどうかを探知し、
(g)操作者が任意のAV再生装置のメニュー図形を選択すると、該データ保存メディアにより該第一OSをインストール及び執行し、
(h)該第一OSの起動を完了後、該タッチ表示装置上の選択されたAV再生装置メニュー図形が対応するAV再生アプリケーションプログラムをインストール及び執行することを特徴とするコンピュータマルチメディアAV再生のタッチ選択及び迅速執行の方法としている。
請求項４の発明は、請求項３記載のコンピュータマルチメディアAV再生のタッチ選択及び迅速執行の方法において、第一OS及び第二OSはそれぞれ該ハードディスクの異なる分割区中に設置することを特徴とするコンピュータマルチメディアAV再生のタッチ選択及び迅速執行の方法としている。
請求項５の発明は、請求項３記載のコンピュータマルチメディアAV再生のタッチ選択及び迅速執行の方法において、ステップ(d)の前に、該コンピュータシステムのシステムメモリ中には予め設定されるランダムアクセスディスクエリアを区分し、該OS、該タッチ表示装置駆動プログラム、該AV再生装置の駆動プログラム、AV再生装置のアプリケーションプログラム執行に必要とする空間とすることを特徴とするコンピュータマルチメディアAV再生のタッチ選択及び迅速執行の方法としている。
請求項６の発明は、主にコンピュータシステム、タッチ表示装置、データ保存メディアを包含し、
該コンピュータシステムはシステムメモリ、BIOSを包含し、
該タッチ表示装置はタッチ信号受信装置と表示パネルを包含し、それぞれタッチ信号入力インターフェースと表示インターフェースにより該コンピュータシステムに接続し、該タッチ信号受信装置は操作者のタッチ操作を受けると、タッチ入力信号を該コンピュータシステムに伝送し、該コンピュータシステムが発生する画像信号は該タッチ表示装置の表示パネルにより表示され、
該データ保存メディアは少なくとも第一OSと第二OSを包含し、該データ保存メディア中にはタッチ表示装置の駆動プログラム、AV再生装置の駆動プログラム、及び該AV再生装置を駆動するAV再生アプリケーションプログラムを保存し、
該タッチ表示装置の表示パネル上には該コンピュータシステムが起動を完成しBIOSの執行を完了後、探知した該コンピュータシステムに接続するAV再生装置のメニュー図形を表示し、操作者が任意のAV再生装置のインストール及び執行を選択すると、該データ保存メディアにより該第一OSをインストール及び執行し、該選択されたAV再生装置メニューが対応するAV再生アプリケーションプログラムを執行することを特徴とするコンピュータマルチメディアAV再生のタッチ選択及び迅速執行のコンピュータシステムとしている。
請求項７の発明は、請求項６記載のコンピュータマルチメディアAV再生のタッチ選択及び迅速執行のコンピュータシステムにおいて、データ保存メディア中の第一OS及び第二OSはそれぞれ異なる分割区中に設置することを特徴とするコンピュータマルチメディアAV再生のタッチ選択及び迅速執行のコンピュータシステムとしている。
請求項８の発明は、請求項６記載のコンピュータマルチメディアAV再生のタッチ選択及び迅速執行のコンピュータシステムにおいて、コンピュータシステムのシステムメモリ中に区分する予め設定されたランダムアクセスハードディスクエリアは該OS、該タッチ表示装置駆動プログラム、該AV再生装置の駆動プログラム、該AV再生装置のアプリケーションプログラムの執行に必要とする空間とすることを特徴とするコンピュータマルチメディアAV再生のタッチ選択及び迅速執行のコンピュータシステムとしている。
請求項９の発明は、請求項６記載のコンピュータマルチメディアAV再生のタッチ選択及び迅速執行のコンピュータシステムにおいて、コンピュータシステムのタッチ表示装置の表示パネル上には、該コンピュータシステムに接続するAV再生装置のメニュー図形を表示する他に、該第二OSの起動を執行するコンピュータシステムの起動メニューを表示することを特徴とするコンピュータマルチメディアAV再生のタッチ選択及び迅速執行のコンピュータシステムとしている。
【発明の効果】
【００１５】
本発明の実施により操作者はタッチ表示装置上において執行しようとするAV再生装置のメニュー図形を選択するだけで、コンピュータマルチメディアAV再生の機能を執行可能であるため、操作者は煩雑な設備操作規範と操作方式を記憶する必要がなくなり、キーボート或いはマウスを通して選択走査を行う必要もない。すなわち本発明は簡単な選択操作、高度な親和性を具えたマンマシーンインターフェースを実現し、コンピュータマルチメディアAVの再生を簡単にすることができる。さらに、本発明のコンピュータシステムは起動しBIOSの初期化手順及びPOSTを終了後に、タッチ表示装置及びメニュー図形表示機能を先に起動するため、操作者はこの時、必要に応じて様々なマルチメディアAV再生機能或いは一般のコンピュータOS機能をタッチ選択し、続いて、コンピュータシステムはどのOSを執行するかを決定する。もし操作者がマルチメディアAV再生機能を選択したなら、一般のコンピュータシステムのOSを起動する必要はなく、タッチ選択の方式によりマルチメディアAV再生機能の方法を執行する。こうして操作者は起動にかかる無駄な時間を省くことができ、またコンピュータシステムのすべてのハードディスク設備を初期化する必要がなくなる。
【発明を実施するための最良の形態】
【００１６】
図１に示すように、本発明のコンピュータ１００はCPU１１、第一バスブリッジ１２、第二バスブリッジ１３を包含する。
該CPU１１はシステムバスにより該第一バスブリッジ１２に接続し、該第一バスブリッジ１２はシステムメモリ１４に接続する。
【００１７】
該第二バスブリッジ１３はBIOS メモリ１５に接続し、該BIOS メモリ１５中にはコンピュータシステムの起動時に必要とするBIOSプログラム１５１及びPOST１５２を保存する。
【００１８】
該第二バスブリッジ１３はバスによりハードディスクインターフェース１６０に接続し、該ハードディスクインターフェース１６０によりハードディスク１６に接続する。該ハードディスク１６は本発明中のデータ保存メディアとなる。該ハードディスク１６は第一分割区１６１及び第二分割区１６２に分割される。該第一分割区１６１中にはLinux OSなどの第一OS１６１aをインストールし、またウィンドウズ（登録商標）OSなどの他のOSをインストール、或いはエムベディッド式OSとすることもできる。該第一分割区１６１中には各種異なるAV再生アプリケーションプログラム１６１bと他の該第一OS１６１a環境下で操作可能な各アプリケーションプログラムを保存する。該第二分割区１６２中にはウィンドウズ（登録商標）OSなどの該第二OS１６２a及び該第二OS１６２a環境下で操作可能な各アプリケーションプログラムをインストールする。
【００１９】
各種異なるAV再生装置１７a、１７b、１７c、１７dはそれぞれ適当なAVインターフェース１７０a、１７０b、１７０c、１７０dを通して該第二バスブリッジ１３に接続する。該AVインターフェース１７０a、１７０b、１７０c、１７０dは公知の適合する標準接続ポートを採用し、該AV再生装置１７a、１７b、１７c、１７dを該第二バスブリッジ１３に接続し、該コンピュータ１００により該AV再生装置１７a、１７b、１７c、１７dの各AV再生機能を制御する。該AV再生装置１７a、１７b、１７c、１７dはDVD、MP3、CD、テレビなどである。
【００２０】
本発明にはタッチ表示装置２を包含し、該タッチ表示インターフェース３により該コンピュータ１００に接続する。該コンピュータ１００のハードディスク１６中には該タッチ表示装置２の動作を駆動するタッチ表示装置駆動プログラム１６３を保存する。該タッチ表示装置駆動プログラムは該BIOSメモリ１５中に内蔵する。該タッチ表示装置２により操作者がタッチパネルにより入力したタッチ入力信号を受信し、及びコンピュータシステムが表示する情報を表示することができる。
【００２１】
本発明の最適実施例では、該タッチ表示インターフェース３は該第一バスブリッジ１２の高速AGPバスインターフェースに接続する。また該第二バスブリッジ１３のPCIバスインターフェースに接続することもできる。
【００２２】
該タッチ表示装置２中にはタッチ信号受信装置２１及び表示パネル２２を包含し、それぞれタッチ信号入力インターフェース３１及び表示インターフェース３２により該コンピュータ１００の第一バスブリッジ１２に接続する。こうして該タッチ信号受信装置２１は操作者のタッチ操作を執行を受けて、タッチ入力信号s1を該コンピュータ１００中に伝送し、該コンピュータ１００が発する画像信号s2は該タッチ表示装置２の表示パネル２２により表示される。
【００２３】
次に図２、３、及び図１に合わせてに示すように、本発明がAVのタッチ選択及び迅速執行を執行する時には、先ず該コンピュータ１００が起動し(ステップ１００)、該コンピュータ１００は最初にシステムの基本起動手順を行う(ステップ１０２)。この時、該コンピュータ１００はBIOSメモリ１５中より該BIOSプログラム１５１及びPOST１５２をインストール及び執行する。続いて、該BIOSプログラム１５１は該コンピュータ１００中に接続するタッチ表示装置２(ステップ１０３)及び該AV再生装置１７a、１７b、１７c、１７dを探知する。該AV再生装置１７a、１７b、１７c、１７dはDVD、MP3、CD、テレビなどである。
【００２４】
続いて、該コンピュータ１００のシステムメモリ１４中においてランダムアクセスディスクエリア１４１を区分し、OS執行、タッチ表示装置の駆動プログラム、AV再生装置の駆動プログラム、AV再生アプリケーションプログラムに必要は空間とする(ステップ１０４)。
【００２５】
上記のシステム基本起動手順及びタッチ表示装置とAV再生装置の探知を完了後、該BIOSプログラム１５１は該ハードディスク１６により該タッチ表示装置２の駆動プログラム１６０をインストール及び執行し、該タッチ表示装置２は作用を開始する。
【００２６】
該タッチ表示装置２が作動を開始すると、該タッチ表示装置２上において探知されたAV再生装置の複数のメニュー図形を表示可能となり(ステップ１０６)、操作者が任意のAV再生装置のメニュー図形を選択したかどうかを随時探知することができる。任意のAV再生装置のメニュー図形が選択されたことを探知すると、本発明は該選択されたメニュー図形に応じてどのAV再生装置が選択されたかを識別することができる。
【００２７】
次に図４に示すように、該タッチ表示装置２上に表示されるAV再生装置のメニュー図形はDVD再生メニュー２a、MP3再生メニュー２b、CD再生メニュー２c、テレビ再生メニュー２dである。操作者が該DVD再生メニュー２a、MP3再生メニュー２b、CD再生メニュー２c、テレビ再生メニュー２dをタッチ選択すると、DVD再生機能(ステップ１０８a)、MP3再生機能(ステップ１０８b)、CD再生機能(ステップ１０８c)、テレビ再生機能(ステップ１０８d)がそれぞれ執行される。
【００２８】
選択されたAV再生機能が探知及び識別された後、本発明は該コンピュータ１００のハードディスク１６中の第一分割区１６１中より該第一OS１６１aをインストール及び執行する(ステップ１０９)。該インストール及び執行された該第一OS１６１aは単純化されたOSで、コンピュータシステムのOS環境とAV再生アプリケーションプログラムの起動執行機能を提供可能であればそれで良い。
【００２９】
該第一OS１６１aのインストール及び執行が完了後、該第一OS１６１aの操作環境下において、続いて該ハードディスク１６により該タッチ表示装置２上に選択されたAV再生装置メニューが対応するAV再生アプリケーションプログラム１６２bをインストール及び執行する(ステップ１１０)。この過程の制御により、操作者は各AV再生機能を執行しようとする時、AV再生を迅速に起動する機能を達成することができ、一般のコンピュータシステムの起動時の無駄に長い起動時間を待つ必要がない。
【００３０】
該タッチ表示装置２上においては数種のAV再生装置のメニュー図形を表示可能な他、コンピュータシステム起動のメニュー図形２eを表示可能である(図３参照)。操作者がAV再生機能を執行する意向がなく、一般のコンピュータ作業の機能だけを執行しようとする時には、該コンピュータシステム起動のメニュー図形２eを選択すれば良い。該コンピュータシステム起動のメニュー図形２eが選択されると、本発明はコンピュータシステム起動機能を執行する(ステップ１０８e)。この時、該コンピュータ１００のハードディスク１６の第二分割区１６２中には該第二OS１６２aがインストール及び執行される(ステップ１１１)。
【図面の簡単な説明】
【００３１】
【図１】本発明コンピュータマルチメディアAV再生のタッチ選択及び迅速執行の方法及びそのコンピュータシステムの指示図である。
【図２】本発明がコンピュータマルチメディアAVデータのタッチ選択及び迅速執行を執行する時の制御フローチャート１である。
【図３】本発明がコンピュータマルチメディアAVデータのタッチ選択及び迅速執行を執行する時の制御フローチャート２である。
【図４】本発明のタッチ表示装置上において表示される異なるAV再生装置メニューの指示図である。
【符号の説明】
【００３２】
１００  コンピュータ
１１  CPU
１２  第一バスブリッジ
１３  第二バスブリッジ
１４  システムメモリ
１４１  ランダムアクセスディスクエリア
１５  BIOS メモリ
１５１  BIOSプログラム
１５２  POST
１６  ハードディスク
１６０  ハードディスクインターフェース
１６１  第一分割区
１６１a  第一OS
１６１b  AV再生アプリケーションプログラム
１６２  第二分割区
１６２a  第二OS
１６３  タッチ表示装置駆動プログラム
１７a、１７b、１７c、１７d   AV再生装置
１７０a、１７０b、１７０c、１７０d   AVインターフェース
２  タッチ表示装置
２１  タッチ信号受信装置
２２  表示パネル
３  タッチ表示インターフェース
３１  タッチ信号入力インターフェース
３２  表示インターフェース
２a  DVD再生メニュー
２b  MP3再生メニュー
２c  CD再生メニュー
２d  テレビ再生メニュー
２e  コンピュータ起動メニュー
【図１】
2007035014.tif 000003
【図２】
2007035014.tif 000004
【図３】
2007035014.tif 000005
【図４】
2007035014.tif 000006